【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
複数のパラメータを備える情報要素（ＩＥ）を取得するように構成されたインターフェースと、
前記ワイヤレス通信のために使用されるべき１次チャネルロケーションを計算するように構成された処理システムと、ここにおいて、前記計算は、前記複数のパラメータと、前記装置が位置する地理的エリアに依存しない関数とに基づき、前記複数のパラメータは、
前記ＩＥの第１のフィールド中の１つまたは複数の動作クラスパラメータと、
前記ＩＥの第２のフィールド中のチャネル幅パラメータと
備える、
前記計算された１次チャネルロケーションに基づいて信号を送信するために出力するように構成された別のインターフェースと
を備える、装置。
【請求項２】
前記処理システムは、
前記複数のパラメータのうちの第１のパラメータに基づいて前記ワイヤレス通信のための開始周波数を決定することと、
前記複数のパラメータのうちの第２のパラメータに基づいて前記開始周波数に関するオフセットを決定することと
を行うように構成される、請求項１に記載の装置。
【請求項３】
前記処理システムは、前記開始周波数への前記第１のパラメータのマッピングを決定することによって、前記複数のパラメータのうちの前記第１のパラメータに基づいて前記ワイヤレス通信のための前記開始周波数を決定するように構成される、請求項２に記載の装置。
【請求項４】
前記処理システムは、前記チャネル幅パラメータに基づいてチャネル幅を決定する
ように構成される、請求項１に記載の装置。
【請求項５】
前記第２のパラメータはインデックスを備え、
前記処理システムは、前記インデックスと周波数定数とに基づいて前記オフセットを決定するように構成される、
請求項２に記載の装置。
【請求項６】
前記複数のパラメータは、
前記ＩＥの第３のフィールド中のインデックスフィールド
をさらに備える、請求項１に記載の装置。
【請求項７】
前記動作クラスパラメータの異なる値は、動作パラメータのセットのための値の異なる組合せにマッピングする、請求項６に記載の装置。
【請求項８】
前記動作パラメータのセットは、チャネル開始周波数、チャネル中心周波数インデックス、または前記装置の挙動に対する制限のうちの少なくとも２つを備える、請求項７に記載の装置。
【請求項９】
装置によるワイヤレス通信のための方法であって、
複数のパラメータを備える情報要素（ＩＥ）を取得することと、
装置による前記ワイヤレス通信のために使用されるべき１次チャネルロケーションを計算することと、ここにおいて、前記計算は、前記複数のパラメータと、前記装置が位置する地理的エリアに依存しない関数とに基づき、前記複数のパラメータは、
前記ＩＥの第１のフィールド中の１つまたは複数の動作クラスパラメータと、
前記ＩＥの第２のフィールド中のチャネル幅パラメータと
備える、
前記計算された１次チャネルロケーションに基づいて信号を送信するために出力することと
を備える、方法。
【請求項１０】
前記複数のパラメータのうちの第１のパラメータに基づいて前記ワイヤレス通信のための開始周波数を決定することと、
前記複数のパラメータのうちの第２のパラメータに基づいて前記開始周波数に関するオフセットを決定することと
をさらに備える、請求項９に記載の方法。
【請求項１１】
前記開始周波数への前記第１のパラメータのマッピングを決定することによって、前記複数のパラメータのうちの前記第１のパラメータに基づいて前記ワイヤレス通信のための前記開始周波数を決定すること
をさらに備える、請求項１０に記載の方法。
【請求項１２】
前記チャネル幅パラメータに基づいてチャネル幅を決定すること
をさらに備える、請求項９に記載の方法。
【請求項１３】
前記第２のパラメータはインデックスを備え、
前記オフセットを決定することは、前記インデックスと周波数定数とに基づいて前記オフセットを決定することを備える、
請求項１０に記載の方法。
【請求項１４】
前記複数のパラメータは、
前記ＩＥの第３のフィールド中のインデックスフィールド
をさらに備える、請求項９に記載の方法。
【請求項１５】
前記動作クラスパラメータの異なる値は、動作パラメータのセットのための値の異なる組合せにマッピングする、請求項１４に記載の方法。
【請求項１６】
前記動作パラメータのセットは、チャネル開始周波数、チャネル中心周波数インデックス、または前記装置の挙動に対する制限のうちの少なくとも２つを備える、請求項１５に記載の方法。
【請求項１７】
複数のパラメータを備える情報要素（ＩＥ）を取得することと、
装置によるワイヤレス通信のために使用されるべき１次チャネルロケーションを計算することと、ここにおいて、前記計算は、前記複数のパラメータと、前記装置が位置する地理的エリアに依存しない関数とに基づき、前記複数のパラメータは、
前記ＩＥの第１のフィールド中の１つまたは複数の動作クラスパラメータと、
前記ＩＥの第２のフィールド中のチャネル幅パラメータと
備える、
前記計算された１次チャネルロケーションに基づいて信号を送信するために出力することと
を行うための命令を記憶した非一時的コンピュータ可読媒体。
【請求項１８】
ワイヤレス通信のための局であって、
複数のパラメータを備える情報要素（ＩＥ）を受信するように構成された受信機と、
前記ワイヤレス通信のために使用されるべき１次チャネルロケーションを計算するように構成された処理システムと、ここにおいて、前記計算は、前記複数のパラメータと、前記局が位置する地理的エリアに依存しない関数とに基づき、前記複数のパラメータは、
前記ＩＥの第１のフィールド中の１つまたは複数の動作クラスパラメータと、
前記ＩＥの第２のフィールド中のチャネル幅パラメータと
備える、
計算された１次チャネルロケーションに基づいて信号を送信するように構成された送信機と
を備える、局。
【手続補正２】
【補正対象書類名】明細書
【補正対象項目名】００７１
【補正方法】変更
【補正の内容】
【００７１】
[0076]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
ワイヤレス通信のための装置であって、
１つまたは複数のパラメータを有する情報要素（ＩＥ）を取得するための手段と、
前記装置による前記ワイヤレス通信のために使用されるべき１次チャネルロケーションを計算するための手段と、ここにおいて、前記計算は、前記１つまたは複数のパラメータと、前記装置が位置する地理的エリアに依存しない関数とに基づく、
を備える、装置。
［Ｃ２］
前記１つまたは複数のパラメータのうちの第１のパラメータに基づいて前記ワイヤレス通信のための開始周波数を決定するための手段と、
前記１つまたは複数のパラメータのうちの第２のパラメータに基づいて前記開始周波数に関するオフセットを決定するための手段と
をさらに備える、Ｃ１に記載の装置。
［Ｃ３］
前記開始周波数への前記第１のパラメータのマッピングを決定することによって、前記１つまたは複数のパラメータのうちの前記第１のパラメータに基づいて前記ワイヤレス通信のための前記開始周波数を決定するための手段
をさらに備える、Ｃ３に記載の装置。
［Ｃ４］
前記１つまたは複数のパラメータのうちの第３のパラメータに基づいてチャネル幅を決定するための手段
をさらに備える、Ｃ１に記載の装置。
［Ｃ５］
前記第２のパラメータはインデックスを備え、
前記オフセットを決定することは、前記インデックスと周波数定数とに基づいて前記オフセットを決定することを備える、
Ｃ２に記載の装置。
［Ｃ６］
前記１つまたは複数のパラメータは、
前記ＩＥの第１のフィールド中の１つまたは複数の動作クラスパラメータと、
前記ＩＥの第２のフィールド中のチャネル幅パラメータと、
前記ＩＥの第３のフィールド中のインデックスフィールドと
を備える、Ｃ１に記載の装置。
［Ｃ７］
前記第１の動作クラスパラメータの異なる値は、動作パラメータのセットのための値の異なる組合せにマッピングする、Ｃ６に記載の装置。
［Ｃ８］
前記動作パラメータのセットは、チャネル開始周波数、チャネル中心周波数インデックス、または前記装置の挙動に対する制限のうちの少なくとも２つを備える、Ｃ７に記載の装置。
［Ｃ９］
装置によるワイヤレス通信のための方法であって、
１つまたは複数のパラメータを有する情報要素（ＩＥ）を取得することと、
装置による前記ワイヤレス通信のために使用されるべき１次チャネルロケーションを計算することと、ここにおいて、前記計算は、前記１つまたは複数のパラメータと、前記装置が位置する地理的エリアに依存しない関数とに基づく、
を備える、方法。
［Ｃ１０］
前記１つまたは複数のパラメータのうちの第１のパラメータに基づいて前記ワイヤレス通信のための開始周波数を決定することと、
前記１つまたは複数のパラメータのうちの第２のパラメータに基づいて前記開始周波数に関するオフセットを決定することと
をさらに備える、Ｃ９に記載の方法。
［Ｃ１１］
前記開始周波数への前記第１のパラメータのマッピングを決定することによって、前記１つまたは複数のパラメータのうちの前記第１のパラメータに基づいて前記ワイヤレス通信のための前記開始周波数を決定すること
をさらに備える、Ｃ１０に記載の方法。
［Ｃ１２］
前記１つまたは複数のパラメータのうちの第３のパラメータに基づいてチャネル幅を決定すること
をさらに備える、Ｃ９に記載の方法。
［Ｃ１３］
前記第２のパラメータはインデックスを備え、
前記オフセットを決定することは、前記インデックスと周波数定数とに基づいて前記オフセットを決定することを備える、
Ｃ１０に記載の方法。
［Ｃ１４］
前記１つまたは複数のパラメータは、
前記ＩＥの第１のフィールド中の１つまたは複数の動作クラスパラメータと、
前記ＩＥの第２のフィールド中のチャネル幅パラメータと、
前記ＩＥの第３のフィールド中のインデックスフィールドと
を備える、Ｃ９に記載の方法。
［Ｃ１５］
前記第１の動作クラスパラメータの異なる値は、動作パラメータのセットのための値の異なる組合せにマッピングする、Ｃ１４に記載の方法。
［Ｃ１６］
前記動作パラメータのセットは、チャネル開始周波数、チャネル中心周波数インデックス、または前記装置の挙動に対する制限のうちの少なくとも２つを備える、Ｃ１５に記載の方法。
［Ｃ１７］
１つまたは複数のパラメータを有する情報要素（ＩＥ）を取得することと、
装置によるワイヤレス通信のために使用されるべき１次チャネルロケーションを計算することと、ここにおいて、前記計算は、前記１つまたは複数のパラメータと、前記装置が位置する地理的エリアに依存しない関数とに基づく、
を行うための命令を記憶したコンピュータ可読媒体を備えるコンピュータプログラム製品。
［Ｃ１８］
ワイヤレス通信のための局であって、
少なくとも１つのアンテナと、
前記少なくとも１つのアンテナを介して、１つまたは複数のパラメータを有する情報要素（ＩＥ）を受信するように構成された受信機と、
前記ワイヤレス通信のために使用されるべき１次チャネルロケーションを計算するように構成された処理システムと、ここにおいて、前記計算は、前記１つまたは複数のパラメータと、前記局が位置する地理的エリアに依存しない関数とに基づく、
を備える、局。